(57)【要約】【課題】表示画面上において占有する表示領域を最小限にしつつ、円滑に電子部品を検索すること。【解決手段】この電子部品検索装置１０は、ディスプレイ上にアイコンを表示するアイコン表示部１４と、アイコンの選択入力に応じてリストボックス及び検索結果を表示するための表示ボックスを含むサブウィンドウを起動するウィンドウ起動部１６と、属性情報を部品特定情報に関連づけて格納する属性情報格納部２４と、属性情報格納部２４から属性情報を読み出して該当するリストボックス内の候補データとして表示されるように制御するＧＵＩコントロール表示制御部１８と、リストボックス内の候補データの選択入力に応じて属性情報格納部２４から部品特定情報を抽出し、抽出した部品特定情報によって特定される電子部品に関する検索結果を、表示ボックス内に表示するように制御する検索結果表示制御部２０とを備える。【選択図】図１
2008083979.tif 000002
【特許請求の範囲】
【請求項１】
電子部品を前記電子部品の属性を示す複数の属性情報に基づいて検索するための電子部品検索システムであって、
表示画面上の所定の位置にユーザから検索指示を受け付けるためのアイコンを表示するアイコン表示手段と、
前記ユーザによる前記アイコンの選択入力に応じて、前記複数の属性情報を選択させるための複数のリストボックス及び検索結果を表示するための表示領域を含むウィンドウを表示画面上に起動するウィンドウ起動手段と、
前記電子部品に関する複数の属性情報を、前記電子部品を特定する部品特定情報に関連づけて格納する属性情報格納手段と、
前記属性情報格納手段から前記複数の属性情報を読み出し、当該読み出した前記複数の属性情報を、それぞれ該当する前記リストボックス内の候補データとして表示されるように制御する第１の表示制御手段と、
前記ユーザからの前記複数のリストボックス内の候補データの選択入力に応じて前記属性情報格納手段を参照することによって、前記候補データに対応付けられた前記部品特定情報を抽出すると共に、当該抽出された部品特定情報によって特定される電子部品に関する検索結果を、前記表示領域内に表示するように制御する第２の表示制御手段と、
を備えることを特徴とする電子部品検索システム。
【請求項２】
前記第２の表示制御手段は、
当該抽出された部品特定情報が複数存在する場合には、前記検索結果として前記部品特定情報によって特定される電子部品に関する特性データを表示するように制御する、
ことを特徴とする請求項１記載の電子部品検索システム。
【請求項３】
電子部品を前記電子部品の属性を示す複数の属性情報に基づいて検索するための電子部品検索プログラムであって、
コンピュータを
表示画面上の所定の位置にユーザから検索指示を受け付けるためのアイコンを表示するアイコン表示手段、
前記ユーザによる前記アイコンの選択入力に応じて、前記複数の属性情報を選択させるための複数のリストボックス及び検索結果を表示するための表示領域を含むウィンドウを表示画面上に起動するウィンドウ起動手段、
前記電子部品に関する複数の属性情報を、前記電子部品を特定する部品特定情報に関連づけて格納する属性情報格納手段、
前記属性情報格納手段から前記複数の属性情報を読み出し、当該読み出した前記複数の属性情報を、それぞれ該当する前記リストボックス内の候補データとして表示されるように制御する第１の表示制御手段、及び
前記ユーザからの前記複数のリストボックス内の候補データの選択入力に応じて前記属性情報格納手段を参照することによって、前記候補データに対応付けられた前記部品特定情報を抽出すると共に、当該抽出された部品特定情報によって特定される電子部品に関する検索結果を、前記表示領域内に表示するように制御する第２の表示制御手段
として機能させることを特徴とする電子部品検索プログラム。
【発明の詳細な説明】
【技術分野】
【０００１】
本発明は、電子部品を検索するための電子部品検索システム及び電子部品検索プログラムに関するものである。
【背景技術】
【０００２】
従来から、パーソナルコンピュータやインターネット等の通信網に接続されたサーバ等のコンピュータを用いて電子部品等のアイテムを検索するシステムが使用されている。このようなシステムでは、検索対象のアイテムの属性をコンピュータの表示画面上のドロップダウンリストにより選択させて、その属性を検索キーとして用いてアイテムの検索が実行される。
【０００３】
このような検索システムでは、検索キーの選択時等においてグラフィックユーザインターフェース（ＧＵＩ）システムに関する様々な技術が使用される。例えば、下記特許文献１には、ＧＵＩシステムに関する技術として、表示画面上のツールバーの下部にツールバーの表示部の中に収まらない追加のコントロールを表示させることが開示されている。
【特許文献１】特表２００２−５１８７３１号公報
【発明の開示】
【発明が解決しようとする課題】
【０００４】
しかしながら、上述したようなＧＵＩシステムに関する技術を電子部品の検索システムにそのまま適用したとしても、検索対象の電子部品の数及びその電子部品を特定するための属性の種類が比較的多い場合には、検索対象を特定するための属性を様々変更しながら円滑に電子部品の絞り込みを行うことが困難であった。一方、電子部品の検索システムに高機能の検索機能を持たせようとすると、表示画面上において検索のために占有する表示領域が大きくなってしまい、コンピュータを用いた電子部品の特性表示等の後続の処理に支障を来してしまう傾向にあった。
【０００５】
そこで、本発明は、かかる課題に鑑みて為されたものであり、表示画面上において占有する表示領域を最小限にしつつ、円滑な電子部品の検索を可能にする電子部品検索システムを提供することを目的とする。
【課題を解決するための手段】
【０００６】
上記課題を解決するため、本発明の電子部品検索システムは、電子部品を電子部品の属性を示す複数の属性情報に基づいて検索するための電子部品検索システムであって、表示画面上の所定の位置にユーザから検索指示を受け付けるためのアイコンを表示するアイコン表示手段と、ユーザによるアイコンの選択入力に応じて、複数の属性情報を選択させるための複数のリストボックス及び検索結果を表示するための表示領域を含むウィンドウを表示画面上に起動するウィンドウ起動手段と、電子部品に関する複数の属性情報を、電子部品を特定する部品特定情報に関連づけて格納する属性情報格納手段と、属性情報格納手段から複数の属性情報を読み出し、当該読み出した複数の属性情報を、それぞれ該当するリストボックス内の候補データとして表示されるように制御する第１の表示制御手段と、ユーザからの複数のリストボックス内の候補データの選択入力に応じて属性情報格納手段を参照することによって、候補データに対応付けられた部品特定情報を抽出すると共に、当該抽出された部品特定情報によって特定される電子部品に関する検索結果を、表示領域内に表示するように制御する第２の表示制御手段とを備える。
【０００７】
或いは、本発明の電子部品検索プログラムは、電子部品を電子部品の属性を示す複数の属性情報に基づいて検索するための電子部品検索プログラムであって、コンピュータを、表示画面上の所定の位置にユーザから検索指示を受け付けるためのアイコンを表示するアイコン表示手段、ユーザによるアイコンの選択入力に応じて、複数の属性情報を選択させるための複数のリストボックス及び検索結果を表示するための表示領域を含むウィンドウを表示画面上に起動するウィンドウ起動手段、電子部品に関する複数の属性情報を、電子部品を特定する部品特定情報に関連づけて格納する属性情報格納手段、属性情報格納手段から複数の属性情報を読み出し、当該読み出した複数の属性情報を、それぞれ該当するリストボックス内の候補データとして表示されるように制御する第１の表示制御手段、及びユーザからの複数のリストボックス内の候補データの選択入力に応じて属性情報格納手段を参照することによって、候補データに対応付けられた部品特定情報を抽出すると共に、当該抽出された部品特定情報によって特定される電子部品に関する検索結果を、表示領域内に表示するように制御する第２の表示制御手段として機能させる。
【０００８】
このような電子部品検索システム及び電子部品検索プログラムによれば、ユーザから表示画面上のアイコンの選択入力が受け付けられると、複数のリストボックスと表示領域とを含むウィンドウが表示され、属性情報格納手段に格納された個々の電子部品に関する複数の属性情報が、これらの複数のリストボックスのうちの対応するリストボックス内の候補データとしてそれぞれ表示される。そして、ユーザからウィンドウにおける任意のリストボックス内の候補データの選択が受け付けられると、属性情報格納手段からその候補データに対応付けられた電子部品が抽出され、抽出された電子部品に関する検索結果が、ウィンドウ内の表示領域に表示される。従って、検索が必要な時に検索用のウィンドウを表示させた後、そのウィンドウ内で属性情報をその都度選択しながら検索結果を確認することによって電子部品の絞り込みを行うことができるので、所望の電子部品の検索を円滑に行うことができる。
【０００９】
第２の表示制御手段は、当該抽出された部品特定情報が複数存在する場合には、検索結果として部品特定情報によって特定される電子部品に関する特性データを表示するように制御することが好ましい。
【００１０】
こうすれば、抽出された電子部品が複数ある場合にその電子部品の特性情報も検索結果として併せて表示されるので、複数の電子部品の特性を比較しながら電子部品の絞り込みを行うことができる。
【発明の効果】
【００１１】
本発明の電子部品検索システム及び電子部品検索プログラムによれば、表示画面上において占有する表示領域を最小限にしつつ、円滑に電子部品を検索することができる。
【発明を実施するための最良の形態】
【００１２】
以下、図面を参照しつつ本発明に係る電子部品検索システムの好適な実施形態について詳細に説明する。なお、図面の説明においては同一又は相当部分には同一符号を付し、重複する説明を省略する。以下の説明においては、本発明の実施の形態として、複数の電子部品それぞれの特性をグラフ等により表示する電子部品検索装置を例示する。
【００１３】
図１は、本発明の好適な一実施形態に係る電子部品検索装置１０の概略構成を示すブロック図である。同図に示す電子部品検索装置１０は、電子部品をその電子部品の特徴や規格値、特性値等の複数の属性情報に基づいて検索する機能を備える。電子部品検索装置１０は、後述する機能を実現する回路等を備える専用の装置であってもよいし、後述する機能を実行させるプログラムによって動作する汎用のコンピュータであってもよい。以下においては、電子部品検索装置１０がパーソナルコンピュータやサーバ装置等の汎用コンピュータ上において実現されているものとして説明する。
【００１４】
図１に示すように、電子部品検索装置１０は、機能的には、主制御部１２、アイコン表示部（アイコン表示手段）１４、ウィンドウ起動部（ウィンドウ起動手段）１６、ＧＵＩコントロール表示制御部（第１の表示制御手段）１８、検索結果表示制御部（第２の表示制御手段）２０、特性情報表示制御部２２、属性情報格納部（属性情報格納手段）２４、カテゴリ情報格納部２６、及び特性情報格納部２８を備えている。
【００１５】
この電子部品検索装置１０は、物理的には、図２に示すように、ＣＰＵ３０、主記憶装置であるＲＡＭ３２及びＲＯＭ３４、ハードディスク等の補助記憶装置４０、入力デバイスであるキーボード及びマウス等の入力装置３６、情報を表示する出力デバイスであるディスプレイ（表示画面）４２、ネットワークカード等のデータ送受信デバイスである通信モジュール３８などを含むコンピュータシステムとして構成されている。図１において説明した各機能は、図２に示すＣＰＵ３０、ＲＡＭ３２等のハードウェア上に後述する電子部品検索プログラムを読み込ませることにより、ＣＰＵ３０の制御のもとで入力装置１０６におけるユーザの情報入力を受け付けて、通信モジュール３８及びディスプレイ４２を動作させるとともに、ＲＡＭ３２や補助記憶装置４０におけるデータの読み出し及び書き込みを行うことで実現される。
【００１６】
主制御部１２は、ディスプレイ４２に表示されるフレームウィンドウ、そのフレームウィンドウ内のクライアント領域、及び検索ウィンドウ等のサブウィンドウ等を統一的に制御する。図３は、主制御部１２の制御によってディスプレイ４２に表示される画面の一例を示す図である。同図に示すように、主制御部１２は、電子部品検索装置１０の起動に伴ってフレームウィンドウＷｆを起動し、そのフレームウィンドウＷｆの上端部のツールバーＴｂにおける複数のメニューアイコンの配置、及び当該フレームウィンドウＷｆ内のクライアント領域Ｗｃに表示するサブウィンドウＷｓの配置等を管理している。
【００１７】
図１に戻って、アイコン表示部１４は、主制御部１２の制御のもとで、ディスプレイ４２上に表示されたフレームウィンドウＷｆのツールバーＴｂ上の所定位置に複数のメニューアイコンを表示する。ここで、アイコン表示部１４は、これらのメニューアイコンのうちの１つであるメニューアイコンＭ１（図３参照）を、ユーザから検索指示の入力を受け付けるためのアイコンとして設定する。
【００１８】
ウィンドウ起動部１６は、主制御部１２の制御のもとで、フレームウィンドウＷｆのクライアント領域Ｗｃ上に電子部品の検索時の条件を設定するためのサブウィンドウＷｓを起動する。具体的には、図３を参照して、ウィンドウ起動部１６は、ユーザによるメニューアイコンＭ１のクリック操作（選択入力）を受け付けると、検索対象の電子部品の属性情報を選択させるための複数のリストボックスＢ１，…，Ｂ６と、電子部品の検索結果を表示するための表示ボックス（表示領域）Ｂｄとを有するサブウィンドウＷｓを表示させる。
【００１９】
ＧＵＩコントロール表示制御部１８は、ウィンドウ起動部１６によって起動されたサブウィンドウＷｓ上におけるリストボックスＢ１，…，Ｂ６内に表示される候補データを設定する機能を担う。このとき、ＧＵＩコントロール表示制御部１８は、カテゴリ情報格納部２６及び属性情報格納部２４に格納されたデータを読み出して、読み出したデータに基づいてそれぞれのリストボックスＢ１，…，Ｂ６内に候補データとして表示されるデータを制御する。
【００２０】
以下、ＧＵＩコントロール表示制御部１８によるリストボックスＢ１，…，Ｂ６における候補データの表示制御について詳細に説明する。
【００２１】
まず、リストボックスＢ１には、候補データとして検索対象のデータベースを特定するための情報が設定される。そこで、ユーザからリストボックスＢ１における候補データの選択入力を受け付けると、ＧＵＩコントロール表示制御部１８は、該当するデータベースに対応したデータテーブルを属性情報格納部２４及びカテゴリ情報格納部２６から読み出す。ここで、図４には、カテゴリ情報格納部２６に格納されたデータテーブルの構成を示している。同図に示すように、カテゴリ情報格納部２６には、データテーブルＴ１として、検索対象の電子部品のカテゴリ名（categoryname）“フェライトビーズ”が、そのカテゴリを特定する識別番号（categoryid）“0001”に関連づけて格納されており、データテーブルＴ２として、電子部品のカテゴリ毎に検索項目として設定されるべき属性名（searchname）“形状”，“インピーダンス”，…と、その属性の識別符号（searchcolumn）“size”，“Z”，…とが、カテゴリの識別番号（categoryid）“0001”に関連づけて格納されている。このデータテーブルＴ２中に格納された属性の識別符号は、属性情報格納部２４内においてその属性に関する属性情報が格納されるテーブル内のカラムを特定するために用いられる。
【００２２】
そこで、ＧＵＩコントロール表示制御部１８は、データテーブルＴ１中に存在するカテゴリ名をリストボックスＢ２の候補データとして設定する。図４の例によれば、“フェライトビーズ”、“インダクタ”、及び“積層セラミックコンデンサ”を候補データとして設定する。これに対して、ユーザからリストボックスＢ２に対する選択入力を受け付けると、ＧＵＩコントロール表示制御部１８は、選択されたカテゴリに対応する識別番号に基づいて、テーブルＴ２からその識別番号に対応付けられた属性名と属性の識別符号の組み合わせを抽出する。そして、図５に示すように、ＧＵＩコントロール表示制御部１８は、抽出した複数の識別符号によって特定される属性を、それぞれのリストボックスＢ３〜Ｂ６においてユーザに選択させる属性として設定する。その結果、それぞれのリストボックスＢ３〜Ｂ６の上部には、設定された属性に対応する属性名が表示される。
【００２３】
さらに、ＧＵＩコントロール表示制御部１８は、属性情報格納部２４を参照することによって、それぞれのリストボックスＢ３〜Ｂ６における属性情報の候補データを設定する。図６は、属性情報格納部２４に格納されたデータテーブルの構成を示す図である。同図に示すように、属性情報格納部２４には、データテーブルＴ３として、電子部品に関する複数の属性情報（sizeid,Idc,…）が、その電子部品のカテゴリの識別番号（categoryid）、電子部品名（productname）、電子部品ＩＤ（id:部品特定情報）に関連づけて格納されている。例えば、カテゴリ識別番号“0001”、電子部品名“beads_xxxxx”、及び電子部品ＩＤ“00010001”で特定される電子部品の属性情報として、形状ＩＤ（sizeid）“1001”、定格電流（Idc）“200”、及びインピーダンス（Z）“120”が格納されている。また、属性情報格納部２４には、データテーブルＴ４として、テーブルＴ３に格納された形状ＩＤに対応する属性値が格納されている。
【００２４】
ここで、ＧＵＩコントロール表示制御部１８は、リストボックスＢ２において選択されたカテゴリに対応するカテゴリの識別番号に基づいて、データテーブルＴ３から、リストボックスＢ３に設定された属性に対応し、且つ、そのカテゴリの識別番号に対応付けられた属性情報を抽出する。そして、ＧＵＩコントロール表示制御部１８は、抽出された属性情報をリストボックスＢ３の候補データとして設定する。例えば、リストボックスＢ２において識別番号“0001”のカテゴリが選択されている場合は、リストボックスＢ３には属性名“形状”ニ対応する属性が設定されるので、識別番号“0001”に関連付けて形状IDとして格納されている属性情報“1.0mm×0.5mm”，“1.6mm×0.8mm”，“2.0mm×1.25mm”が、リストボックスＢ３の候補データとして設定される。
【００２５】
同様にして、ＧＵＩコントロール表示制御部１８は、データテーブルＴ３から、リストボックスＢ４，Ｂ５，Ｂ６に設定された属性に対応し、且つ、そのカテゴリの識別番号に対応付けられた属性情報を抽出し、抽出された属性情報をそれぞれのリストボックスＢ４，Ｂ５，Ｂ６の候補データとして設定する。図７は、このようにして候補データが設定されたリストボックスＢ３〜Ｂ６の表示例を示す図である。なお、ＧＵＩコントロール表示制御部１８は、ユーザからリストボックスＢ３〜Ｂ６のいずれかに対する選択入力を受け付けた場合は、当該選択された属性情報に基づいてリストボックスＢ３〜Ｂ６の候補データを絞り込んで再設定してもよい。具体的には、リストボックスＢ３において形状“1.0×0.5mm”が選択された場合は、形状ＩＤ“1001”を含むデータに更に絞り込むことによって、リストボックスＢ４の候補データとしてインピーダンス“120”，“240”を再設定する。このように一部の検索項目の選択に同期して他の検索項目の絞り込みを行うことにより、検索結果においてデータが存在しないという事態が避けられる。
【００２６】
図１に戻って、検索結果表示制御部２０は、ユーザからのリストボックスＢ２〜Ｂ６の候補データの選択入力に応じて、選択された候補データに対応する電子部品に関する検索結果を、サブウィンドウＷｓの表示ボックスＢｄ（図３参照）に表示するように制御する。すなわち、検索結果表示制御部２０は、リストボックスＢ２におけるカテゴリの選択及びリストボックスＢ３〜Ｂ６のうちの少なくとも１つのリストボックスにおける選択入力を受け付けると、選択された候補データに基づいて属性情報格納部２４のデータテーブルＴ３を参照し、その候補データを属性情報として含むレコードを抽出する。例えば、図７に示すように、リストボックスＢ３〜Ｂ６において形状“1.0mm×0.5mm”、インピーダンス“120”、定格電流“200”の候補データが選択されると、図６に示すデータテーブルＴ３の中から、選択された候補データの組に対応付けられた電子部品ＩＤ“00010001”が抽出される。そして、検索結果表示制御部２０は、抽出された電子部品ＩＤに対応する電子部品名を表示ボックスＢｄに表示する。
【００２７】
また、検索結果表示制御部２０は、図８に示すように、ユーザによる選択入力によって抽出された電子部品ＩＤが複数存在する場合には、抽出された電子部品を特定する情報の他に、当該電子部品ＩＤによって特定される電子部品に関する特性データを、表示ボックスＢｄ内に併せて表示するように制御する。図８に示す例では、検索結果表示制御部２０は、抽出された電子部品ＩＤに対応する特性データを属性情報格納部２４のデータテーブルＴ３から読み出して表形式の画像Ｇ１として表示させている。また、検索結果表示制御部２０は、抽出された電子部品ＩＤに基づいて、特性情報格納部２８に格納された電子部品毎の特性データを読み出して、グラフ形式の画像Ｇ２としても表示させている。ここでは、グラフ形式の画像Ｇ２として、インピーダンスの周波数特性が例示されている。
【００２８】
図１に戻って、特性情報表示制御部２２は、検索結果表示制御部２０によって表示ボックスＢｄ内に表示された電子部品名に対するユーザの選択入力に基づいて、選択された電子部品に関する特性情報を特性情報格納部２８から読み出して、その電子部品に関するより詳細な特性データを表示させる。このときの特性データの表示は、ウィンドウ起動部１６によって起動されていたサブウィンドウＷｓをクローズした後に、フレームウィンドウＷｆ内のクライアント領域Ｗｃ（図３参照）において実行される。
【００２９】
以上説明した電子部品検索装置１０によれば、ユーザからディスプレイ４２上に表示されたメニューアイコンＭ１の選択入力が受け付けられると、複数のリストボックスＢ１〜Ｂ６と表示ボックスＢｄとを含むサブウィンドウＷｓが表示され、属性情報格納部２４に格納された個々の電子部品に関する複数の属性情報が、これらの複数のリストボックスＢ１〜Ｂ６のうちの対応するリストボックス内の候補データとしてそれぞれ表示される。そして、ユーザからサブウィンドウＷｓにおける任意のリストボックスＢ１〜Ｂ６内の候補データの選択が受け付けられると、属性情報格納部２４からその候補データに対応付けられた電子部品が抽出され、抽出された電子部品に関する検索結果が、サブウィンドウＷｓ内の表示ボックスＢｄに表示される。従って、検索が必要な時に検索用のサブウィンドウを表示させた後、そのサブウィンドウ内で属性情報をその都度選択しながら検索結果を確認することによって電子部品の絞り込みを行うことができるので、所望の電子部品の検索を円滑に行うことができる。
【００３０】
また、抽出された電子部品が複数ある場合にその電子部品の特性情報も検索結果として表示ボックスＢｄに併せて表示されるので、複数の電子部品の特性を比較しながら電子部品の絞り込みを行うことができる。
【００３１】
以下、コンピュータを電子部品検索装置１０として起動させるための電子部品検索プログラムについて説明する。図９は、本発明の実施形態に係る電子部品検索プログラムの構成を示す図である。同図には、電子部品検索プログラムが、磁気媒体と共に示されている。
【００３２】
電子部品検索プログラムＰ１０は、記録媒体１００に格納されて提供される。記録媒体１００としては、フロッピーディスク（登録商標）、ＣＤ−ＲＯＭ、ＤＶＤ、又はＲＯＭ等の記憶媒体、あるいは半導体メモリ等が例示される。
【００３３】
この電子部品検索プログラムＰ１０によって動作するコンピュータは、ＣＰＵ、メモリ、ハードディスク、マウス、キーボード、ディスプレイ、ドライブ装置、通信装置等を備える汎用のコンピュータであることができる。かかるコンピュータは、記録媒体１００がドライブ装置に挿入されると、記録媒体１００に格納された電子部品検索プログラムＰ１０にアクセス可能になり、当該電子部品検索プログラムＰ１０によって電子部品検索装置１０として動作することが可能になる。
【００３４】
なお、電子部品検索プログラムＰ１０は、搬送波に重畳されたコンピュータ信号としてネットワークを介して提供されるものであってもよい。この場合に、コンピュータは、通信装置によって受信した電子部品検索プログラムＰ１０をメモリに格納することによって当該電子部品検索プログラムＰ１０を実行することができる。
【００３５】
図９に示すように、電子部品検索プログラムＰ１０は、メインモジュールＰ１２、アイコン表示モジュールＰ１４、ウィンドウ起動モジュールＰ１６、ＧＵＩコントロール表示制御モジュールＰ１８、検索結果表示制御モジュールＰ２０、及び特性情報表示制御モジュールＰ２２から構成されている。メインモジュールＰ１２、アイコン表示モジュールＰ１４、ウィンドウ起動モジュールＰ１６、ＧＵＩコントロール表示制御モジュールＰ１８、検索結果表示制御モジュールＰ２０、及び特性情報表示制御モジュールＰ２２がコンピュータに実現させる機能はそれぞれ、主制御部１２、アイコン表示部１４、ウィンドウ起動部１６、ＧＵＩコントロール表示制御部１８、検索結果表示制御部２０、及び特性情報表示制御部２２と同一である。
【００３６】
なお、本発明は上記した実施形態に限定されることなく種々の変形が可能である。例えば、フレームウィンドウＷｆ内に表示させる情報表示ツールは特定の種類に限定されず、例えば、表示ボックスに代えてリストボックス等の他のウィンドウコントロールを用いてもよい。
【図面の簡単な説明】
【００３７】
【図１】本発明の好適な一実施形態に係る電子部品検索装置の概略構成を示すブロック図である。
【図２】図１の電子部品検索装置のハードウェア構成を示すブロック図である。
【図３】図１の主制御部によって表示されるフレームウィンドウの一例を示す図である。
【図４】図１のカテゴリ情報格納部に格納されたデータテーブルの構成を示す図である。
【図５】図１のＧＵＩコントロール表示制御部によって表示制御されたサブウィンドウの一例を示す図である。
【図６】図１の属性情報格納部に格納されたデータテーブルの構成を示す図である。
【図７】図１のＧＵＩコントロール表示制御部及び検索結果表示制御部によって表示制御されたサブウィンドウの一例を示す図である。
【図８】図１の検索結果表示制御部によって表示制御されたサブウィンドウの一例を示す図である。
【図９】本発明の好適な一実施形態に係る電子部品検索プログラムの構成を示す図である。
【符号の説明】
【００３８】
１０…電子部品検索装置、１４…アイコン表示部（アイコン表示手段）、１６…ウィンドウ起動部（ウィンドウ起動手段）、１８…コントロール表示制御部（第１の表示制御手段）、２０…検索結果表示制御部（第２の表示制御手段）、２４…属性情報格納部（属性情報格納手段）、Ｂ１〜Ｂ６…リストボックス、Ｂｄ…表示ボックス（表示領域）、Ｍ１…メニューアイコン。
【図１】
2008083979.tif 000003
【図２】
2008083979.tif 000004
【図４】
2008083979.tif 000005
【図５】
2008083979.tif 000006
【図６】
2008083979.tif 000007
【図７】
2008083979.tif 000008
【図８】
2008083979.tif 000009
【図９】
2008083979.tif 000010
【図３】
2008083979.tif 000011